(57)【要約】【課題】  周縁に張出縁を形成した皿状容器であっても、仕上げ加工が施された底面をとすることができ、しかも、容易に張出縁を形成することができる木製皿状容器の木地及びその製造方法を提供する。【解決手段】  木製皿状容器の木地１は、平板部２の周縁に張出縁３が形成されている。平板部２及び張出縁３は天然木材の横木や木製合板からなり、張出縁３が形成される一方面２ａを仕上げ加工した板材５によって形成され、平板部２は板材５を所定の形状に切断され、張出縁３は板材５から平板部２の周縁を切断することにより形成され、平板部２の一方面２ａよりも突出させて張り出され、平板部２の周縁と張出縁３との接合部４を固定して皿状に形成する。【選択図】図１
2015189236.tif 000002
【特許請求の範囲】
【請求項１】
平板部の周縁に張出縁が形成された皿状容器の木地であって、
前記平板部及び張出縁は天然木材の横木や木製合板からなり、前記張出縁が形成される一方面を仕上げ加工した前記板材によって形成され、
前記平板部は前記板材を所定の形状に切断され、
前記張出縁は前記板材から前記平板部の周縁を切断することにより形成され、前記平板部の一方面よりも突出させて張り出され、前記平板部の周縁と前記張出縁との接合部を固定して皿状に形成したことを特徴とする木製皿状容器の木地。
【請求項２】
張出縁は、平板部よりも大きい相似形の形状に形成された請求項１に記載の木製皿状容器の木地。
【請求項３】
張出縁は、平板部の形状と異なる形状に形成された請求項１に記載の木製皿状容器の木地
【請求項４】
平板部の周縁に張出縁が形成された皿状容器の木地の製造方法は、
天然木材の横木や木製合板からなる平板状の板材の少なくとも一方面を仕上げ加工し、
前記板材を帯鋸により前記平板部及び前記張出縁を所定の形状に切断した後、
前記張出縁を前記平板部の板厚よりも小さい距離を一方面側の上方に移動させて突出させることにより張り出し、
前記平板部の周縁と前記張出縁との接合部を固定して皿状容器を形成することを特徴とする木製皿状容器の木地の製造方法。
【請求項５】
前記板材を帯鋸により前記平板部と前記張出縁との間を帯鋸により切断するとき、前記帯鋸を傾斜させ、前記平板部の一方面側が他方面よりも大きい形状となる切断面とした請求項４に記載の木製皿状容器の木地の製造方法。
【請求項６】
前記張出縁を前記平板部の一方面よりも突出させて張り出すことにより、他方面に形成された突部を前記張出縁の底面と同一面となるように切削した請求項４及び５に記載の木製皿状容器の木地の製造方法。
【発明の詳細な説明】
【技術分野】
【０００１】  本発明は、木製の盆、皿、トレー等の皿状容器の木地に関する。
【背景技術】
【０００２】  自然素材である木材はさまざまな木目を有するため、原木から形取る箇所に応じて個体差が生じ、その個体差が製品ごとの個性となる。また、長期の使用によって生じる傷や色合いが変化し、独特の風合いとなって使用者に親しみを生じさせる。このため、合成樹脂や軽金属の製品にはない個性的で味わい深い製品を生み出すことのできる素材として木材が注目されており、多様な加工技術が知られている。【０００３】  従来、木製の盆、皿、トレー等の皿状容器の木地を制作するための周知の加工技術としては、木材を木工用のフライス盤、或いは、ろくろによって板材の一方面を所定形状に切削し、周縁に張出縁を形成する技術が知られている。一方、他の加工技術として、吸水軟化した１枚の木材を圧縮し、その木材を圧縮方向と略平行にスライスして板状の一次固定品を得た後、この一次固定品を加熱吸水させながら所定の３次元形状に成形する技術が知られている（例えば、特許文献１を参照）。また、軟化処理した状態で圧縮した１枚の木材を仮固定し、この木材を型に入れて回復させることによって型成形する技術も知られている（例えば、特許文献２を参照）。これらの技術では、木材の個体差や種類、加工後の木材の強度やその用途などを含むさまざまな点を考慮して、木材の肉厚や圧縮率が決められる。
【先行技術文献】
【０００４】
【特許文献１】特許第３０７８４５２号公報
【特許文献２】特開平１１−７７６１９号公報
【発明の開示】
【発明が解決しようとする課題】
【０００５】  従来の加工技術において、木材を木工用のフライス盤等によって皿状容器の木地を加工すると、皿内部の底面はフライス加工用の刃による切削面が荒くなる。このため、製品として求められる面粗さとなるように仕上げ加工を施す必要がある。しかし、底面の仕上げ加工は困難であり、しかも多くの時間を必要とする問題があった。一方、木材を圧縮成形する場合には、木材の個体差や種類、成形後の木材の強度やその用途などを含むさまざまな点を考慮して木材の肉厚や圧縮率を決める必要がある。例えば、成形後の木材の強度を向上させるには、その木材の肉厚をある程度厚くする必要がある。しかしながら、木材の肉厚を厚くすると、圧縮による成形の困難度が増加してしまう問題があった。この解決策としては、木材を薄肉化せざるを得ないが、木材を薄肉化すると強度の向上を達成することができなくなる問題がある。【０００６】  そこで、本発明の目的は、この問題を解決し、周縁に張出縁を形成した皿状容器であっても、仕上げ加工が施された底面をとすることができ、しかも、容易に張出縁を形成することができる木製皿状容器の木地及びその製造方法を提供することにある。
【課題を解決するための手段】
【０００７】  上記課題を解決するために、本発明による木製皿状容器の木地は、平板部の周縁に張出縁が形成された皿状容器の木地であって、前記平板部及び張出縁は天然木材の横木や木製合板からなり、前記張出縁が形成される一方面を仕上げ加工した前記板材によって形成され、前記平板部は前記板材を所定の形状に切断され、前記張出縁は前記板材から前記平板部の周縁を切断することにより形成され、前記平板部の一方面よりも突出させて張り出され、前記平板部の周縁と前記張出縁との接合部を固定して皿状に形成したことを要旨としている。【０００８】  さらに、張出縁は、平板部よりも大きい相似形の形状、或いは、平板部の形状と異なる形状に形成される。【０００９】  また、本発明による木製皿状容器の木地の製造方法は、天然木材の横木や木製合板からなる平板状の板材の少なくとも一方面を仕上げ加工し、前記板材を帯鋸により前記平板部及び前記張出縁を所定の形状に切断した後、前記張出縁を前記平板部の板厚よりも小さい距離を一方面側の上方に移動させて突出させることにより張り出し、前記平板部の周縁と前記張出縁との接合部を固定して皿状容器を形成することを要旨としている。【００１０】  さらにまた、前記板材を帯鋸により前記平板部と前記張出縁との間を帯鋸により切断するとき、前記帯鋸を傾斜させ、前記平板部の一方面側が他方面よりも大きい形状となる切断面とすることが望ましい。【００１１】  また、前記張出縁を前記平板部の一方面よりも突出させて張り出すことにより、他方面に形成された突部を前記張出縁の底面と同一面となるように切削しても良い。
【発明の効果】
【００１２】  本発明の木製皿状容器の木地によれば、板材の一方面を仕上げ加工した後に張出縁が形成されているので、木製皿状容器の平板部を仕上げ状態した木地が提供できる。また、１枚の板材から平板部と張出縁が形成されているので、平板部の表面の木目と張出縁の上面の木目を連続させることができる。さらに、張出縁が平板部の周縁を切断することにより形成されているので、張出縁の内側と平板部の周縁が同一形状になるので、隙間等の発生を未然に防止することができ、しかも、平板部と張出縁の収縮変化が同じのため、温度や湿度が変化しても歪みや隙間の発生等による変形が生じ難くなる。【００１３】  また、本発明による木製皿状容器の木地の製造方法によれば、帯鋸により平板部及び張出縁を所定の形状に切断するので、平板部と張出縁を各任意の形状に形成することが可能であり、顧客のニーズに合致したオリジナルデザインの木製皿状容器を提供することができる。また、一枚の帯鋸により平板部及び前記張出縁を所定の形状に切断することにより製造できるので、工程が簡易であり、生産性を向上することができる。さらに、張出縁は平板部の一方面側の上方に突出して張り出すことにより形成されるので、張出縁を容易に形成することができる。【００１４】  さらに、板材を帯鋸により切断するときに、帯鋸を傾斜させることにより、平板部の一方面側が他方面よりも大きい形状となるので、張出縁を平板部の一方面側の上方に移動させて張り出すとき、張出縁の内側と平板部の周縁を密接させるので、隙間なく両者間を接合することができる。しかも、平板部の他方面に突出した突出部の周囲が略台形状に形成されるので、木製皿状容器を重ね合わせたときに、突出部が張出縁の内側に嵌合させることにより、横滑りを防止することができる。
【図面の簡単な説明】
【００１５】
【図１】本発明による木製皿状容器の木地を示す斜視図である。
【図２】図１に示す木製皿状容器の木地の一部断面斜視図である。
【図３】（Ａ）（Ｂ）（Ｃ）は、木製皿状容器の木地の製造方法を示す工程図である。
【図４】木製皿状容器の木地の他方面を切削した状態を示す断面図である。
【図５】木製皿状容器の木地を重ね合わせた状態を示す断面図である。
【図６】木製皿状容器の木地の他の製造方法を示す説明図である。
【図７】木製皿状容器の木地の張出縁を平板部に嵌挿させる状態を示す説明図である。
【図８】他の製造方法によって形成された木製皿状容器の木地を示す断面図である。
【図９】（Ａ）（Ｂ）（Ｃ）は、木製皿状容器の木地の変形例を示す斜視図である。
【発明を実施するための最良の形態】
【００１６】  木製皿状容器の木地は、平板部の周縁に張出縁が形成されている。前記平板部及び張出縁は天然木材の横木や木製合板からなり、前記張出縁が形成される一方面を仕上げ加工した前記板材によって形成され、前記平板部は前記板材を所定の形状に切断され、前記張出縁は前記板材から前記平板部の周縁を切断することにより形成され、前記平板部の一方面よりも突出させて張り出され、前記平板部の周縁と前記張出縁との接合部を固定して皿状に形成している。【００１７】  以下、図面に基づいて本発明の好適な実施例について説明する。図１は、本発明による木製皿状容器の木地１として、楕円形に形成された木製の盆を示している。木地１の素材としては、ヒノキ、ヒバ、杉、松、桜、欅、桑、栂、黒檀、紫檀、チーク、マホガニー、ローズウッドなどの無垢の天然木材の横木、或いは、木製合板から最適な所定の板厚の板材が選択される。【００１８】  木地１は、平板部２の周縁に張出縁３を形成することにより楕円形の皿状に形成され、平板部２の一方面２ａは、木地１を製造する以前から予め仕上げ加工が施されている。この平板部２は板材を図１に示す様な盆としての所定の形状に切断され、張出縁３は板材から平板部２の周縁を切断することにより形成されている。そして、張出縁３は、図２に示すように、平板部２の一方面２ａよりも図示上方に張り出させて突出させ、平板部２の周縁と張出縁３との接合部４を接着等により固定して皿状の盆に形成している。なお、平板部２と張出縁３との固定は、接着の他、釘によって固定しても良い。【００１９】  平板部２の一方面２ａと張出縁３の上面には、図１に示すように、天然木材の木目が表れていて、これら平板部２の木目と張出縁３の木目は連続している。これは、１枚の板材から平板部２と張出縁３を所定の非円形の形状に切断することにより、木目の位置が容易に一致するためである。また、木材の素材から予め仕上げ加工が施されているので、平板部２の一方面２ａと張出縁３の上面は平坦な面に形成されている。このため、張出縁３と平板部２が交わる角部は、一般的に仕上げ加工が困難であるが、素材の状態から仕上げ加工が施されているので、角部も美麗な仕上げ面となっている。また、平板部２と張出縁３が同一の木材によって形成されているので、両者とも収縮変化が同じであり、温度や湿度が変化しても歪みや隙間の発生等による変形が生じ難くなる。以上のように形成することにより完成した木地１は、その後、うるし等の塗料を塗布することにより商品となる。【００２０】  次に、本発明による木製皿状容器の木地の製造方法について、図３により説明する。図３（Ａ）に示す素材となる板材５は、前述したような天然木材の横木、或いは、木製合板から選択される。この板材５は、木製皿状容器の木地１として必要な板厚を有し、図示上方の一方面２ａは、木地１として必要な仕上げ加工が施されている。なお、板材５の一方面２ａの裏面の他方面２ｂ側も、必要に応じて仕上げ加工を施しても良い。【００２１】  この板材５の所定の位置には、平板部２の周縁位置、及び、張出縁３の外縁位置に小孔６、７をドリル等により穿設し、この小孔６に帯鋸８を板材５に対して垂直に挿通する。そして、帯鋸８によって、まず平板部２の形状に切断する。その後、帯鋸８を小孔７に挿通して張出縁３の外縁の形状に切断する。この切断工程によって、図３（Ｂ）に示すように、平板部２と張出縁３が分離されて形成される。このとき、平板部２と張出縁３の切断面は、平板部２と張出縁３の板面と垂直に形成される。【００２２】  切断工程によって形成された平板部２と張出縁３は、図３（Ｂ）の矢示に示すように、平板部２の周縁に張出縁３を嵌合し、図２に示すように、張出縁３が平板部２の一方面２ａよりも図示上方に張り出させて突出させる。このとき、図１に示すような楕円形の木地１の場合は、張出縁３と平板部２が周方向に変位することが無く、両者の木目を連続させることができるが、例えば、円形のような場合には、周方向に変位しないように木目を合わせて突出させることが必要である。その後、平板部２の周縁と張出縁３との接合部４を接着により固定することによって、図３（Ｃ）に示すような皿状の盆に形成され木地１が形成される。木地１の張出縁３の内面と外周面、及び、平板部２の張出縁３よりも突出した外周面が帯鋸８による切断面となっているので、サンドペーパー等によって仕上げ加工を施すことが望ましい。【００２３】  以上のように製造された木地１は、図２に示すように、平板部２の他方面２ｂ側が張出縁３よりも突出している。一般的な盆のように、張出縁３の底面と平板部２の他方面２ｂを同一面に形成するためには、図４に示すように、平板部２の他方面２ｂを切削して同一面に形成しても良い。この場合、平板部２の板厚が薄くなるので、前述した板材５の板厚が大きくし、平板部２として必要な板厚が得られるようにすることが望ましい。【００２４】  一方、平板部２の他方面２ｂ側を張出縁３よりも突出させた場合には、図５に示すように、平板部２の他方面２ｂ側の突出部分が張出縁３の内側に嵌挿させることができる。この結果、複数の盆を重ねたときに、水平方向への移動が阻止されるので、木地１或いは盆を積み重ねて保管する際には好適である。【００２５】  図６乃至図８は、木製皿状容器の木地の製造方法の他の実施例を示している。前述した製造方法と異なる点は、板材５から平板部１０を切断するとき、帯鋸８を板材５に対して傾斜させて切断することである。まず、前述した製造方法と同様に、平板部１０の周縁位置、及び、張出縁３の外縁位置に小孔６、７をドリル等により穿設する。そして、図６に示すように、小孔６に帯鋸８を板材５に対して傾斜させて挿通する。このとき、帯鋸８は平板部１０の放射方向に角度θ傾斜させる。この角度θは、板材５の垂直方向に対して概ね３〜１５度が望ましい。その後、角度θを保った状態で帯鋸８よって平板部１０の形状に切断する。これにより、平板部１０と張出縁１１の切断面は、平板部１０と張出縁１１の板面に対して角度θに傾斜した状態で形成される。【００２６】  その後、帯鋸８を小孔７に挿通して張出縁３の外縁の形状に切断する。このとき、帯鋸８は板材５に対して垂直に挿通して切断することにより、張出縁１１の外縁は垂直に形成される。この切断工程によって、図７に示すように、平板部１０と張出縁１１が分離されて形成される。このとき、平板部１０と張出縁１１との切断面は、板面に対して角度θに傾斜している。【００２７】  この切断工程によって形成された平板部１０と張出縁１１は、図７に示すように、平板部１０の周縁に張出縁１１を嵌合する。このとき、平板部１０の周縁の一方面１０ａ側の外径が他方面１０ｂ側の外径が大きく、張出縁１１に内周も上方側が大きく形成されている。このように形成すると、平板部１０の周縁の一方面１０ａ側の外径が、張出縁１１に内周も下方側よりも小さくなるように形成されていると、図８に示すように、張出縁１１が平板部１０の一方面１０ａよりも上方に張り出されて突出した状態で平板部１０の周縁の外面と張出縁１１の内面が密接する。これにより、平板部１０の外面と張出縁１１の内面との間には隙間がなくなり、この間に接着剤によって接着することにより、両者は強固に固定される。この結果、図８に示すような皿状の盆に形成され木地１が形成される。なお、前述した実施例と同様に、木地１の張出縁１１の内面と外周面、及び、平板部１０の張出縁１１よりも突出した外周面をサンドペーパー等によって仕上げ加工を施すことが望ましい。【００２８】  図９は、木製皿状容器の木地を種々の形状に形成した変形例を示している。図９（Ａ）は、木地２０を梅の花の模様に形成した例である。この例においても、前述した各例と同様に、平板部２１と張出縁２２とを１枚の板材５から切断し、張出縁２２が平板部２１の一方面２１ａよりも上方に張り出して突出させることにより形成される。図９（Ｂ）は、木地３０を紅葉の葉の模様に形成した例である。この例においても、前述した各例と同様に、張出縁３２が平板部３１の一方面３１ａよりも上方に張り出して突出させることにより形成される形成される。【００２９】  図９（Ｃ）は、木製皿状容器の木地のさらなる変形例を示している。この例における木地４０は、平板部４１と張出縁４２との形状を変えた例である。この例においては、前述した各例と同様に形成されるが、１枚の板材５から張出縁４２を切断するとき、平板部４１とは異なる形状に切断される。その後、張出縁４２が平板部４１の一方面４１ａよりも上方に張り出させるように突出させて接合部を固定することは、前述した各例と同様である。【００３０】  以上、本発明を実施例に基づき具体的に説明したが、本発明は上記実施例に限定されるものではなく、その要旨を逸脱しない範囲で種々変形可能であることは言うまでもない。例えば、上述した実施例においては、表面に木目を有する板材を使用したが、木地の表面を木目が隠れるように塗装する場合は、木目が目立たない木製合板を使用しても良い。また、木地の平板部にレリーフ状の模様を施した仕上げ加工を施しても良い。
【産業上の利用可能性】
【００３１】  本発明は、木製の盆、皿、トレー等の皿状容器の木地に適用可能である。
【符号の説明】
【００３２】１    木地
２    平板部
２ａ  一方面
２ｂ  他方面
３    張出縁
４    接合部
５    板材
８    帯鋸
【図１】
2015189236.tif 000003
【図２】
2015189236.tif 000004
【図３】
2015189236.tif 000005
【図４】
2015189236.tif 000006
【図５】
2015189236.tif 000007
【図６】
2015189236.tif 000008
【図７】
2015189236.tif 000009
【図８】
2015189236.tif 000010
【図９】
2015189236.tif 000011